(57)【要約】【課題】医療機関ごとに扱うデータ形式の違いに関わらずに、複数の医療機関の間で患者の医療情報を共有することができる医療情報システム、その情報端末、およびサーバーを提供すること。【解決手段】医療情報システム１は、フォーマットＡに従う医療情報の情報処理を行う情報端末１００ａと、フォーマットＢに従う医療情報の情報処理を行う情報端末１００ｂと、情報端末１００ａが扱う医療情報および情報端末１００ｂが扱う医療情報を格納して管理する医療情報管理サーバー２００とを含む。情報端末１００ａは、医療情報管理サーバー２００を介して情報端末１００ｂから、フォーマットＢに対応するアプリケーションのプログラムを取得する。取得したプログラムを実行することにより機能するアプリケーションを用いて、医療情報管理サーバー２００に管理されたフォーマットＢに従う医療情報に対して、閲覧、修正などの情報処理を行う。【選択図】図１
2010108024.tif 000002
【特許請求の範囲】
【請求項１】
医療機関で扱う医療情報を共有する医療情報システムであって、
第１のデータ形式に従う医療情報への情報処理を行う第１の情報端末と、
第２のデータ形式に従う医療情報への情報処理を行う第２の情報端末と、
前記第１の情報端末が扱う医療情報および前記第２の情報端末が扱う医療情報を格納するデータベース手段と、
前記第２のデータ形式に従う医療情報を扱うためのアプリケーションのプログラムを格納するプログラム格納手段とを含み、
前記第１の情報端末は、
前記プログラム格納手段から前記プログラムを取得して、前記取得したプログラムを実行することにより機能するアプリケーションを用いて、前記データベース手段に格納された前記第２のデータ形式に従う医療情報への情報処理を行うことを特徴とする医療情報システム。
【請求項２】
請求項１に記載の医療情報システムにおいて、
前記第１の情報端末および前記第２の情報端末とデータ通信可能なサーバーをさらに備え、
前記サーバーが前記データベース手段を有し、
前記第２の情報端末が、前記プログラム格納手段を有することを特徴とする医療情報システム。
【請求項３】
請求項１に記載の医療情報システムにおいて、
前記第１の情報端末および前記第２の情報端末とデータ通信可能なサーバーをさらに備え、
前記サーバーが前記データベース手段および前記プログラム格納手段を有することを特徴とする医療情報システム。
【請求項４】
第１のデータ形式に従う医療情報および第２のデータ形式に従う医療情報を格納するデータベース手段と、前記第２のデータ形式に従う医療情報を扱うためのアプリケーションのプログラムを格納するプログラム格納手段とを含む医療情報システムの情報端末であって、
前記データベース手段に格納された第１のデータ形式に従う医療情報への情報処理を行う第１の情報処理手段と、
前記プログラム格納手段から前記プログラムを取得し、前記取得したプログラムを実行することにより機能するアプリケーションを用いて、前記データベース手段に格納された第２のデータ形式に従う医療情報への情報処理を行う第２の情報処理手段とを備えることを特徴とする情報端末。
【請求項５】
第１のデータ形式に従う医療情報への情報処理を行う第１の情報端末と、第２のデータ形式に従う医療情報への情報処理を行う第２の情報端末とを含む医療情報システムのサーバーであって、
前記第１の情報端末が扱う医療情報および前記第２の情報端末が扱う医療情報を格納するデータベース手段と、
前記第１の情報端末および前記第２の情報端末から前記データベース手段へのアクセスを管理する管理手段とを備え、
前記管理手段は、
前記第１の情報端末から前記第２の情報端末が扱う医療情報へのアクセスが要求された場合、前記第２のデータ形式に従う医療情報を扱うためのアプリケーションのプログラムを前記第１の情報端末に送信することを特徴とするサーバー。
【発明の詳細な説明】
【技術分野】
【０００１】
本発明は、診療所や病院などの医療機関が扱う医療情報をデータベースで共有する医療情報システム、その情報端末、およびサーバーに関する。
【背景技術】
【０００２】
従来、地域内にある複数の医療機関の各医療機関が扱う電子カルテの医療情報を１つのデータベースで集中管理することにより、複数の医療機関の間で、患者の医療情報を共有するようにしたシステムが知られている（例えば、特許文献１参照）。
【０００３】
【特許文献１】特開平１０−４９６０８号公報
【発明の開示】
【発明が解決しようとする課題】
【０００４】
しかしながら、実際には、電子カルテの医療情報を管理するために各医療機関の端末に導入されるアプリケーションは標準化されておらず、アプリケーションの種類が多岐にわたっているため、各医療機関が扱っている医療情報を１つのデータベースに格納して集中管理しただけでは、複数の医療機関の間で医療情報を共有できないことがあった。すなわち、あるアプリケーションを採用する医療機関の端末からデータベースにアクセスした場合に、異なるアプリケーションを採用している他の医療機関から登録された医療情報に対して、閲覧、修正などの情報処理を行うことができないという課題があった。このため、患者の医療情報を参照しようとする医者が、他の医療機関で患者が受けた医療に関する医療情報を知ることができないことがあり、大変不都合であった。
【課題を解決するための手段】
【０００５】
本発明は、上述の課題の少なくとも一部を解決するためになされたものであり、以下の形態または適用例として実現することが可能である。
【０００６】
［適用例１］医療機関で扱う医療情報を共有する医療情報システムであって、第１のデータ形式に従う医療情報への情報処理を行う第１の情報端末と、第２のデータ形式に従う医療情報への情報処理を行う第２の情報端末と、前記第１の情報端末が扱う医療情報および前記第２の情報端末が扱う医療情報を格納するデータベース手段と、前記第２のデータ形式に従う医療情報を扱うためのアプリケーションのプログラムを格納するプログラム格納手段とを含み、前記第１の情報端末は、前記プログラム格納手段から前記プログラムを取得して、前記取得したプログラムを実行することにより機能するアプリケーションを用いて、前記データベース手段に格納された前記第２のデータ形式に従う医療情報への情報処理を行うことを特徴とする医療情報システム。
【０００７】
この構成によれば、第１の情報端末は、プログラム格納手段からアプリケーションプログラムを取得して実行することにより、データベース手段に格納された第２のデータ形式に従う医療情報への情報処理を行うことができる。これにより、第１の情報端末と第２の情報端末の間で、扱うデータ形式の違いに関わらずに医療情報を共有することができ、利便性に優れたシステムを実現することができる。
【０００８】
［適用例２］上記医療情報システムにおいて、前記第１の情報端末および前記第２の情報端末とデータ通信可能なサーバーをさらに備え、前記サーバーが前記データベース手段を有し、前記第２の情報端末が、前記プログラム格納手段を有することを特徴とする医療情報システム。
【０００９】
この構成によれば、第１の情報端末は、第２の情報端末のプログラム格納手段から取得したプログラムを実行することにより、第２の情報端末が扱う医療情報を共有できる。
【００１０】
［適用例３］上記医療情報システムにおいて、前記第１の情報端末および前記第２の情報端末とデータ通信可能なサーバーをさらに備え、前記サーバーが前記データベース手段および前記プログラム格納手段を有することを特徴とする医療情報システム。
【００１１】
この構成によれば、第１の情報端末は、サーバーのプログラム格納手段から取得したプログラムを実行することにより、第２の情報端末が扱う医療情報を共有できる。
【００１２】
［適用例４］第１のデータ形式に従う医療情報および第２のデータ形式に従う医療情報を格納するデータベース手段と、前記第２のデータ形式に従う医療情報を扱うためのアプリケーションのプログラムを格納するプログラム格納手段とを含む医療情報システムの情報端末であって、前記データベース手段に格納された第１のデータ形式に従う医療情報への情報処理を行う第１の情報処理手段と、前記プログラム格納手段から前記プログラムを取得し、前記取得したプログラムを実行することにより機能するアプリケーションを用いて、前記データベース手段に格納された第２のデータ形式に従う医療情報への情報処理を行う第２の情報処理手段とを備えることを特徴とする情報端末。
【００１３】
この構成によれば、情報端末は、第１のデータ形式に従う医療情報への情報処理を行うことができるとともに、プログラム格納手段からアプリケーションプログラムを取得して実行することにより、データベース手段に格納された第２のデータ形式に従う医療情報への情報処理を行うことができる。
【００１４】
［適用例５］第１のデータ形式に従う医療情報への情報処理を行う第１の情報端末と、第２のデータ形式に従う医療情報への情報処理を行う第２の情報端末とを含む医療情報システムのサーバーであって、前記第１の情報端末が扱う医療情報および前記第２の情報端末が扱う医療情報を格納するデータベース手段と、前記第１の情報端末および前記第２の情報端末から前記データベース手段へのアクセスを管理する管理手段とを備え、前記管理手段は、前記第１の情報端末から前記第２の情報端末が扱う医療情報へのアクセスが要求された場合、前記第２のデータ形式に従う医療情報を扱うためのアプリケーションのプログラムを前記第１の情報端末に送信することを特徴とするサーバー。
【００１５】
この構成によれば、第２のデータ形式に従う医療情報を扱うためのアプリケーションのプログラムが第１の情報端末に送信される。したがって、第１の情報端末に、第２のデータ形式に従う医療情報への情報処理を行わせることができる。
【発明を実施するための最良の形態】
【００１６】
以下、本発明の実施の形態について、図面を参照して説明する。
【００１７】
（第１の実施例）
第１の実施例では、市町村などの所定地域内にある診療所、地域中核病院、診断センターなどの複数の医療機関の間で、医療情報管理サーバー２００のデータベースに患者の医療情報を共有する医療情報システムの例について説明する。図１は、第１の実施例に係る医療情報システムの構成を示す図である。図１に示すように、医療情報システム１は、互いに異なる医療機関に設置された複数の情報端末１００と、データセンターに設置された医療情報管理サーバー２００とを含んでいる。また、複数の情報端末１００と医療情報管理サーバー２００はネットワークを介して相互にデータ通信可能に接続されている。なお、以下では、複数の医療機関のうち医療機関Ａに設置された端末（第１の情報端末）を「情報端末１００ａ」、医療機関Ｂに設置された端末（第２の情報端末）を「情報端末１００ｂ」ともいうこととする。
【００１８】
医療機関に設置された情報端末１００の構成について説明する。図２に情報端末１００の構成を示す。図２に示すように、情報端末１００は、カードリーダー１１０と、ディスプレイ１２０と、入力機器１３０と、これらの各装置が接続された情報端末本体１４０とを備える。
【００１９】
カードリーダー１１０は、認証カードＤＣから情報を読み出す装置である。認証カードＤＣは、患者個人に対して発行されるＩＣカードや磁気カードなどの可搬性を有した記録媒体であり、患者に固有の識別情報（以下、「患者ＩＤ」という）が予め記憶されている。
【００２０】
ディスプレイ１２０は、液晶パネルや有機ＥＬパネルなどの表示デバイスである。入力機器１３０は、医療機関の医師などの操作入力を受けるキーボードやマウスなどである。
【００２１】
情報端末本体１４０は、汎用のパーソナルコンピュータなどであり、ＣＰＵ１４１と、ＲＯＭ１４２と、ＲＡＭ１４３と、ハードディスク（プログラム格納手段）１４４と、読取装置１４５と、通信Ｉ／Ｆ部１４６とを備える。
【００２２】
通信Ｉ／Ｆ部１４６は、ネットワークに接続するインターフェイス部であり、この通信Ｉ／Ｆ部１４６を介することにより、情報端末１００と医療情報管理サーバー２００とが通信可能になっている。
【００２３】
また、ハードディスク１４４には、オペレーションシステムのプログラムなどに加えて、さらに、アプリケーションの医療情報処理プログラムＰ１、および後述するアプリケーションの共有を図るためのアプリケーション共有プログラムＰ２が記憶されている。なお、医療情報処理プログラムＰ１およびアプリケーション共有プログラムＰ２は、可搬性を有する外部記録媒体Ｍに記録された形態で情報端末本体１４０に供給され、読取装置１４５によって読み取られてハードディスク１４４に記録される。この外部記録媒体Ｍの具体例としては、フレキシブルディスクやＣＤ−ＲＯＭ、ＤＶＤ−ＲＯＭなどの光ディスク、光磁気ディスク、メモリカード、携帯型ハードディスク、ＵＳＢメモリなど、コンピュータ読み取り可能な種々の記録媒体が挙げられる。
【００２４】
ＣＰＵ１４１は、所定のオペレーションシステムの下で、ハードディスク１４４に記憶された医療情報処理プログラムＰ１を実行することにより、アプリケーションが起動して医療情報処理部（第１の情報処理手段）１４７が機能する。また、ＣＰＵ１４１が、ハードディスク１４４に記憶されたアプリケーション共有プログラムＰ２を実行することにより、アプリケーション共有処理部（第２の情報処理手段）１４８が機能する。すなわち、情報端末１００は、医療情報処理部１４７およびアプリケーション共有処理部１４８のソフトウェア構成を有する。
【００２５】
医療情報処理部１４７は、患者の医療情報への情報処理を行う機能部である。具体的には、医療情報処理部１４７は、患者の検査情報、レントゲンやＭＲＩの画像情報、投薬履歴の情報など、患者に関する医療情報をデータセンターに登録する処理、登録された医療情報をデータセンターに照会する処理、照会した医療情報を修正する処理などを行う。
【００２６】
アプリケーション共有処理部１４８は、医療情報処理部１４７のアプリケーションを他の情報端末と共有するための機能部である。なお、アプリケーション共有処理部１４８が行う処理についての詳細な説明は後述する。
【００２７】
また、図２の例では、医療情報処理部１４７およびアプリケーション共有処理部１４８は情報端末１００がソフトウェアによって実現する構成としているが、情報端末１００の構成としてはこれに限られない。例えば、図３に示すように、情報端末１００を、情報端末本体１４０に外付けの通信制御装置１４９を接続した構成として、通信制御装置１４９がアプリケーション共有処理部１４８を有する構成としてもよい。
【００２８】
次に、データセンターに設置された医療情報管理サーバー２００の構成について説明する。図４に示すように、医療情報管理サーバー２００は、データベース部（データベース手段）２１０と、医療情報アクセス管理部２２０とを備える。
【００２９】
データベース部２１０は、診療所や地域中核病院などの各医療機関を利用する患者の情報を集中管理するデータベースである。データベース部２１０には、図４に示すように、医療機関ごとの専用のデータ格納領域に医療情報が格納されるとともに、患者ＩＤとその患者の医療情報とを対応付けて管理する。すなわち、データベース部２１０では、患者に関する医療情報が登録元の医療機関ごとに別々に管理される。
【００３０】
医療情報アクセス管理部２２０は、情報端末１００からデータベース部２１０へのアクセスを管理する。具体的には、医療情報アクセス管理部２２０は、アクセス要求元の情報端末１００を認証する処理、認証した情報端末１００に対して医療情報の登録、閲覧、修正などの情報操作を許可する処理などを行う。
【００３１】
ここで、本実施例においては、各医療機関の情報端末１００に導入されたアプリケーションは種類が異なり、各情報端末１００の医療情報処理部１４７が扱うデータ形式が異なるものとする。以下、情報端末１００ａの医療情報処理部１４７が扱う医療情報のデータ形式を「フォーマットＡ」、情報端末１００ｂの医療情報処理部１４７が扱う医療情報のデータ形式を「フォーマットＢ」ということとする。
【００３２】
この場合、データセンターに登録される医療情報のデータ形式が、登録元の医療機関に応じて異なるため、データセンターに登録されたフォーマットＢの医療情報を、情報端末１００ａの医療情報処理部１４７で扱うことができず、医療機関の間で医療情報を共有できない状況が生じうる。このことは、例えば、以前に医療機関Ｂで診察を受けたことがある患者が医療機関Ａを訪れたとき、医療機関Ａの医師は、その患者が医療機関Ｂで受けた診察の情報を確認できないことになってしまう。すなわち、データセンターに登録された医療情報を複数の医療機関の間で共有して有効に活用できなくなる。
【００３３】
そこで、本実施例の医療情報システム１では、情報端末１００のアプリケーション共有処理部１４８が、他の情報端末１００と医療情報処理部１４７のアプリケーションを共有することによって、端末間のフォーマットの違いを吸収して医療情報の共有を実現する。
【００３４】
次に、本医療情報システム１で行われる処理について、フローチャートに従って詳細に説明する。以下では、医療機関Ａの情報端末１００ａが、データセンターが管理する医療情報に対して情報処理を行う場合の処理について説明するものとする。なお、医療情報への情報処理を要求する医療機関Ａを「要求元医療機関」、要求された医療情報を登録した医療機関Ｂを「登録元医療機関」ともいうこととする。
【００３５】
図５，６は、要求元医療機関の情報端末１００ａから、データセンターが管理する医療情報に対して情報処理を行うときの処理の流れを示すフローチャートである。例えば、医療機関を訪れた患者の認証カードＤＣが情報端末１００ａのカードリーダー１１０にセットされると（ステップＳ１０）、情報端末１００ａは、認証カードＤＣから患者ＩＤを読み出す（ステップＳ１１）。そして、患者の医療情報を照会しようとする医師が入力機器１３０を操作することによって、情報端末１００ａは、患者ＩＤを含む照会要求をデータセンターに送信する（ステップＳ１２、図７の（ａ）参照）。
【００３６】
データセンター側の処理において、医療情報管理サーバー２００が情報端末１００ａから照会要求を受信すると（ステップＳ２０）、医療情報アクセス管理部２２０は、要求元の認証を行う（ステップＳ２１）。そして、データベース部２１０に格納された医療情報から、照会要求に含まれる患者ＩＤに該当する医療情報を検索する（ステップＳ２２）。なお、ここでは、要求元医療機関のデータ管理領域に登録された情報に加えて、さらに他の医療機関のデータ管理領域に登録された情報についても検索が行われる。したがって、図４に示すように、例えば、医療機関Ａ用のデータ管理領域Ｄａと医療機関Ｂ用のデータ管理領域Ｄｂとの両方に、患者Ａに関する医療情報が登録されている場合、患者Ａに関する医療情報として、データ管理領域ＤａからフォーマットＡの医療情報、データ管理領域ＤｂからフォーマットＢの医療情報が検索される。
【００３７】
次に、医療情報アクセス管理部２２０は、検索結果の医療情報リストを、要求元医療機関の情報端末１００ａに送信する（ステップＳ２３、図７の（ｂ）参照）。
【００３８】
要求元医療機関側の処理において、情報端末１００ａが、医療情報リストを受信すると（ステップＳ１３）、医療情報処理部１４７は、検索結果画面をディスプレイ１２０に表示させる（ステップＳ１４）。図８に検索結果画面の一例を示す。図８に示すように、検索結果画面Ｐには、検索結果の医療情報リストに従って、診察を受けた日時や医療機関名などの情報を表したリストＲが表示される。このリストＲには、要求元医療機関における診療の履歴だけでなく、他の医療機関で受けた診療の履歴が含まれる。医療機関の医師などは、入力機器１３０を操作して、リストＲから所望の医療履歴を選択する。
【００３９】
ここで、検索結果画面Ｐにて選択された医療履歴の医療情報が、要求元医療機関から登録されたものである場合、情報端末１００ａの医療情報処理部１４７は、該当する医療情報のフォーマットに対応しているので、データセンターのデータベース部２１０から取得した医療情報について閲覧、修正などの情報処理を行うことができる。
【００４０】
しかしながら、検索結果画面Ｐで選択された医療情報が、他の医療機関から登録されたものである場合、情報端末１００ａの医療情報処理部１４７では、この医療情報を扱うことができない。以下では、検索結果画面Ｐにおいて、要求元医療機関とは異なる他の医療機関による医療履歴が選択された場合の処理について説明する。
【００４１】
検索結果画面Ｐにて選択された医療情報が、要求元医療機関から登録されたものではない場合、情報端末１００ａの医療情報処理部１４７は、アプリケーションの共有依頼を送信する（ステップＳ１５、図７の（ｃ）参照）。
【００４２】
データセンター側の処理において、医療情報アクセス管理部２２０が、共有依頼を受信すると（ステップＳ２４）、検索結果画面Ｐで選択された医療情報の登録元医療機関に共有依頼を送信する（ステップＳ２５、図７の（ｄ）参照）。
【００４３】
そして、登録元医療機関側の処理において、情報端末１００ｂが共有依頼を受信すると（ステップＳ３０）、情報端末１００ｂのアプリケーション共有処理部１４８は、共有依頼に応じて、フォーマットＢに対応するアプリケーションの医療情報処理プログラムＰ１をハードディスク１４４から読み出す（ステップＳ３１）。そして、読み出した医療情報処理プログラムＰ１をデータセンターに送信する（ステップＳ３２、図７の（ｅ）参照）。
【００４４】
さらに、データセンター側の処理において、医療情報管理サーバー２００が、フォーマットＢに対応する医療情報処理プログラムＰ１を受信すると（ステップＳ２６）、当該受信したプログラムを、要求元医療機関の情報端末１００ａに送信する（ステップＳ２７、図７の（ｆ）参照）。
【００４５】
要求元医療機関側の処理において、情報端末１００ａがプログラムを受信すると（ステップＳ１６）、情報端末１００ａのアプリケーション共有処理部１４８は、受信した医療情報処理プログラムＰ１を実行してアプリケーションを起動する（ステップＳ１７）。起動したアプリケーションにより、情報端末１００ａにおいて、フォーマットＢのデータを扱うことが可能な医療情報処理部１４７が新たに機能する。すなわち、情報端末１００ａは、フォーマットＢに対応するアプリケーションを情報端末１００ｂと共有する。そして、アプリケーション共有処理部１４８は、検索結果画面Ｐにて選択された医療情報へのアクセスをデータセンターに要求する（ステップＳ１８、図７の（ｇ）参照）。
【００４６】
データセンター側の処理において、医療情報管理サーバー２００がアクセス要求を受信すると（ステップＳ２８）、要求された医療情報へのアクセスを許可する（ステップＳ２９）。アクセスの許可を受けると、要求元医療機関において起動した、フォーマットＢに対応する医療情報処理部１４７は、入力機器１３０を用いた医師などからの入力操作に応じて、検索結果画面Ｐにて選択されたフォーマットＢの医療情報に対して閲覧、修正などの情報処理を行う（ステップＳ１９、図７の（ｈ）参照）。
【００４７】
以上に説明したように、第１の実施例の医療情報システム１によれば、要求元医療機関の情報端末１００ａは、処理しようとする医療情報の登録元医療機関の情報端末１００ｂから医療情報処理プログラムＰ１を取得して実行することにより、情報端末１００ａの医療情報処理部１４７が対応しないフォーマットの医療情報に対する情報処理を行うことができる。すなわち、医療機関ごとに設置された情報端末１００の間で、取り扱う医療情報のフォーマットが互いに異なったシステム環境においても、各情報端末１００は、対応するフォーマットの違いに関わらずに、他の医療機関から登録された医療情報への情報処理を行うことができる。これにより、医療情報のフォーマットの違いを考慮することなく、複数の医療機関の間で医療情報を共有することができる利便性に優れたシステムが実現される。
【００４８】
（第２の実施例）
次に、第２の実施例について説明する。第１の実施例では、要求元医療機関の情報端末１００ａは、登録元医療機関の情報端末１００ｂから医療情報処理プログラムＰ１を取得することにより、医療情報の共有を実現した。第２の実施例では、互いに異なるフォーマットに対応する複数の医療情報処理プログラムＰ１をデータセンターの医療情報管理サーバー２００で一括して管理し、各情報端末１００は医療情報管理サーバー２００から医療情報処理プログラムＰ１を取得することにより、医療情報の共有を実現する。なお、以下の説明では、第１の実施例と同様の構成については同じ符号を付与し、詳細な説明を省略する。
【００４９】
図９に、第２の実施例に係る医療情報管理サーバーの構成を示す。図９に示すように、データセンターに設置される医療情報管理サーバー２０１は、データベース部２１０、医療情報アクセス管理部２２０、およびプログラム格納部（プログラム格納手段）２３０を備える。プログラム格納部２３０には、各医療機関の情報端末が扱うフォーマットに対応して複数の医療情報処理プログラムＰ１が格納される。すなわち、医療情報管理サーバー２０１には、複数のフォーマットに対応して複数種類の医療情報処理プログラムＰ１が一元管理されている。
【００５０】
次に、第２の実施例において、要求元医療機関の情報端末１００ａから、データセンターが管理する医療情報に対して情報処理を行うときの処理について、図１０のフローチャートに従って説明する。なお、図１０のフローチャートにおけるステップＳ４０〜Ｓ４５およびステップＳ５０〜Ｓ５４の処理については、第１の実施例におけるステップＳ１０〜Ｓ１５およびステップＳ２０〜Ｓ２４の処理と同様であるため、詳細な説明を省略する。
【００５１】
データセンター側の処理において、要求元医療機関の情報端末１００ａから共有依頼を受信すると（ステップＳ５４）、医療情報アクセス管理部２２０は、検索結果画面Ｐにて選択された医療情報のフォーマットに対応する医療情報処理プログラムＰ１を特定して、プログラム格納部２３０から読み出す（ステップＳ５５）。そして、読み出したプログラムを情報端末１００ａに送信する（ステップＳ５６）。
【００５２】
要求元医療機関側の処理において、情報端末１００ａがプログラムを受信すると（ステップＳ４６）、アプリケーション共有処理部１４８は、受信したプログラムを実行する（ステップＳ４７）。ステップＳ４７以降については第１の実施例と同様にして、起動したアプケーションを用いた処理により、検索結果画面Ｐで選択された医療情報について、閲覧、修正などの情報処理を行う（ステップＳ４８〜Ｓ４９）。
【００５３】
以上に説明した第２の実施例によれば、医療情報管理サーバー２０１に一元管理された各種の医療情報処理プログラムＰ１を利用することにより、フォーマットの違いに関わらずに、情報端末１００は閲覧、修正などの情報処理を行うことができる。したがって、扱うフォーマットの違いに関わらずに、複数の医療機関で医療情報を共有することができる。
【００５４】
（第３の実施例）
上記第１の実施例および第２の実施例では、フォーマットＢに対応する医療情報処理部１４７のプログラムを情報端末１００ａに送信することにより、情報端末１００ａと情報端末１００ｂとの間で医療情報の共有を図るようにする例について説明した。第３の実施例では、情報端末１００ｂの医療情報処理部１４７による情報処理を遠隔操作するためのアプリケーションのプログラムを、情報端末１００ｂまたは医療情報管理サーバー２００から情報端末１００ａに送信することにより、医療情報の共有を実現する。
【００５５】
例えば、図１１に示すように、情報端末１００ｂのハードディスク１４４には、情報端末１００ｂの医療情報処理部１４７を遠隔操作するためのアプリケーションの遠隔操作プログラムＰ３が格納されている。情報端末１００ａがデータセンターに共有依頼を出すと、情報端末１００ｂは、遠隔操作プログラムＰ３をデータセンターを介して情報端末１００ａに送信する。情報端末１００ａのアプリケーション共有処理部１４８は、このプログラムを実行することにより機能するアプリケーションを用いて、情報端末１００ｂの医療情報処理部１４７をネットワークを介して遠隔操作することにより、データセンターに登録されたフォーマットＢの医療情報への情報処理を行う。このとき、遠隔操作の様子は情報端末１００ａのディスプレイ１２０に表示され、医師などはディスプレイ１２０を確認しながら入力機器１３０から操作することで、フォーマットＢに対応する医療情報への情報処理が行われる。すなわち、情報端末１００ｂの医療情報処理部１４７のアプリケーション自体を情報端末１００ａと情報端末１００ｂとが共有することにより、情報端末１００ａによるフォーマットＢの医療情報への情報処理を可能とする。これにより、フォーマットの違いに関わらない、医療情報の共有が実現される。
【００５６】
また、図１２に例として示すように、各情報端末の医療情報処理部１４７に対応して、複数の遠隔操作プログラムＰ３をデータセンターの医療情報管理サーバー２００に格納して一元管理する構成としてもよい。この場合、情報端末１００ａがデータセンターに共有依頼を出すと、医療情報管理サーバー２００は、対応する遠隔操作プログラムＰ３を情報端末１００ａに送信する。情報端末１００ａのアプリケーション共有処理部１４８は、このプログラムを実行することにより機能するアプリケーションを用いて、情報端末１００ｂの医療情報処理部１４７をネットワークを介して遠隔操作することにより、データセンターに登録されたフォーマットＢの医療情報への情報処理を行う。
【００５７】
以上、第１の実施例ないし第３の実施例について説明したが、これに限られることなく、その趣旨に逸脱しない様々な形態としてもよい。以下、変形例について説明する。
【００５８】
（変形例１）上記第１の実施例ないし第３の実施例では、複数の医療機関の間で、情報を共有するようにしたが、１つの医療機関に複数の情報端末１００が設置されている場合に、複数の情報端末１００間においても、第１の実施例ないし第３の実施例と同様にして医療情報を共有するシステム構成としてもよい。
【００５９】
（変形例２）上記第１の実施例ないし第３の実施例では、複数の医療機関の間で、情報を共有するようにしたが、ある医療機関に設置された１つの情報端末に導入する医療情報処理部１４７のアプリケーションを切り替える場合に、切り替え前後のアプリケーション間で情報を共有するようにしてもよい。例えば、情報端末１００に従来導入されていた医療情報処理部１４７のアプリケーションを、対応するフォーマットが異なるアプリケーションに切り替えた場合であっても、アプリケーション共有処理部１４８が、切り替え前のフォーマットに対応する医療情報処理部１４７のアプリケーションプログラムをデータセンターから取得することにより、切り替え前に対応していたフォーマットの医療情報を扱うことができる。したがって、ユーザーにとって、アプリケーションの切り替えに伴ってデータのフォーマットを変更する作業を行う必要がなくなり、医療情報処理部１４７の新しいアプリケーションを導入する際にかかる手間が低減する。
【図面の簡単な説明】
【００６０】
【図１】第１の実施例に係る医療情報システムの構成を示す図。
【図２】情報端末の構成の一例を示す図。
【図３】情報端末の構成の一例を示す図。
【図４】医療情報管理サーバーの構成を示す図。
【図５】要求元医療機関からデータセンターに医療情報を照会するときの処理の流れを示すフローチャート。
【図６】要求元医療機関の情報端末から、データセンターが管理する医療情報に対して情報処理を行うときの処理の流れを示すフローチャート。
【図７】要求元医療機関の情報端末から、データセンターが管理する医療情報に対して情報処理を行うときの処理の流れを示すフローチャート。
【図８】検索結果画面の一例を示す図。
【図９】第２の実施例に係る医療情報管理サーバーの構成を示す図。
【図１０】要求元医療機関の情報端末から、データセンターが管理する医療情報に対して情報処理を行うときの処理の流れを示すフローチャート。
【図１１】第３の実施例に係る医療情報システムの構成を示す図。
【図１２】医療情報システムの構成を示す図。
【符号の説明】
【００６１】
１…医療情報システム、１００…情報端末、１００ａ…第１の情報端末としての情報端末、１００ｂ…第２の情報端末としての情報端末、１１０…カードリーダー、１２０…ディスプレイ、１３０…入力機器、１４０…情報端末本体、１４１…ＣＰＵ、１４２…ＲＯＭ、１４３…ＲＡＭ、１４４…ハードディスク、１４５…読取装置、１４６…通信Ｉ／Ｆ部、１４７…第１の情報処理手段としての医療情報処理部、１４８…第２の情報処理手段としてのアプリケーション共有処理部、１４９…通信制御装置、２００…サーバーとしての医療情報管理サーバー、２１０…データベース手段としてのデータベース部、２２０…医療情報アクセス管理部、２３０…プログラム格納手段としてのプログラム格納部、Ｍ…外部記録媒体、Ｐ１…医療情報処理プログラム、Ｐ２…アプリケーション共有プログラム。
【図１】
2010108024.tif 000003
【図２】
2010108024.tif 000004
【図３】
2010108024.tif 000005
【図４】
2010108024.tif 000006
【図５】
2010108024.tif 000007
【図６】
2010108024.tif 000008
【図７】
2010108024.tif 000009
【図８】
2010108024.tif 000010
【図９】
2010108024.tif 000011
【図１０】
2010108024.tif 000012
【図１１】
2010108024.tif 000013
【図１２】
2010108024.tif 000014